(57)【要約】【課題】従来技術に比較して高い信号対雑音比で受信信号を受信できる電子機器を提供する。【解決手段】携帯型ＤＶＤプレーヤは、無線信号を受信する無線通信回路と、受信された無線信号に対して所定の信号処理を行う信号処理回路とを含む。筐体１０は、第１の導電体２１と、第１の導電体２１よりも内側に設けられた第２の導電体２０とを含み、無線通信回路と信号処理回路とを収納する。ここで、無線通信回路の接地導体５０は第１の導電体２１に接続され、信号処理回路の接地導体５１は第２の導電体２０に接続される。【選択図】図２
2007180661.tif 000002
【特許請求の範囲】
【請求項１】
無線信号を受信する無線通信回路と、
上記受信された無線信号に対して所定の信号処理を行う信号処理回路と、
第１の導電体と、上記第１の導電体によりも内側に設けられた第２の導電体とを含み、上記無線通信回路と上記信号処理回路とを収納するための筐体とを備えた電子機器であって、
上記無線通信回路の接地導体は上記第１の導電体に接続され、
上記信号処理回路の接地導体は上記第２の導電体に接続されたことを特徴とする電子機器。
【請求項２】
上記第１の導電体と上記第２の導電体との間に誘電体を挿入したことを特徴とする請求項１記載の電子機器。
【請求項３】
上記第１の導電体は第１の導体パターンを有し、
上記第２の導電体は第２の導体パターンを有し、
上記第１の導体パターンと上記第２の導体パターンとは厚さ方向と直交する方向で互い違いになるように形成されたことを特徴とする請求項１又は２記載の電子機器。
【請求項４】
上記誘電体は磁性体材料にてなることを特徴とする請求項１乃至３のうちのいずれか１つに記載の電子機器。
【発明の詳細な説明】
【技術分野】
【０００１】
本発明は、無線通信回路と信号処理回路を備えた電子機器に関するものである。
【背景技術】
【０００２】
地上波デジタルテレビジョン放送の開始に伴い、携帯型の電子機器を用いてテレビジョン放送を受信する機会が従来に比べて格段に増加することが期待されている。従来のアナログテレビジョン放送の放送方式は主に屋内での受信を想定して定められているのに対し、地上波デジタルテレビジョン放送の放送方式であるＩＳＤＢ−Ｔ伝送方式は、家庭における固定受信だけでなく、自動車等の移動体での受信及び携帯機器による受信をも考慮して定められている。そのため、地上波デジタルテレビジョン放送を屋外で受信するユーザが増加することが予想される。地上波デジタルテレビジョン放送を受信するための機器として、携帯型液晶テレビジョン、携帯電話機、ノート型パソコン、携帯型ＤＶＤプレーヤ、携帯型ゲーム機等の種々の携帯型の電子機器が想定される。
【０００３】
図７は、従来技術に係るノート型パソコンの一部破断概略斜視図である。図７において、従来技術に係るノート型パソコンは、プリント基板１３と信号ケーブル１６とを収容する筐体１００と、その蓋の機能を有し、液晶ディスプレイ１５を備える筐体１１とを備えて構成される。また、プリント基板１３は、筐体１００の外部に突出し地上波デジタルテレビジョン放送の放送信号を受信するホイップアンテナ装置であるアンテナ素子１８と、アンテナ素子１８によって受信した放送信号を復調して出力する無線通信回路１７と、無線通信回路１７が出力した信号に対して画像処理を行い信号ケーブル１６を介して液晶ディスプレイ１５に出力して表示する画像処理回路１４とを備えて構成される。さらに、筐体１１に一体的に形成されたヒンジ円筒部１２ｂは、筐体１００に一体的に形成されたヒンジ円筒部１２ａ，１２ｃ（以下、ヒンジ円筒部１２ａ，１２ｂ，１２ｃを併せてヒンジ部１２という。）に挟持されて回動可能に軸支され、この構成により図７のノート型パソコンは、筐体１００に対して筐体１１を開いた展開状態と、筐体１００に対して筐体１１を対向させて閉じた折り畳み状態とを有する。
【０００４】
図８は、図７のノート型パソコンの筐体１００の右端部の右側面から見た縦断面図である。図８において、例えばＰＥＴ又はポリカーボネート等の誘電体材料にてなるプリント基板１３は、支持部材１７０ａ，１７０ｂによって、例えばマグネシウム合金等の導電体材料にてなる筐体１００の底部に、所定の空間を隔てて固定される。また、画像処理回路１４は、プリント基板１３の表面に形成された導体パターンとプリント基板１３の裏面に形成された接地導体１５１とを備えて構成される。さらに、無線通信回路１７は、プリント基板１３の表面に形成された導体パターンと、プリント基板１３の裏面に形成された接地導体１５０とを備えて構成される。ここで、接地導体１５０，１５１はそれぞれ導線１６０，１６１を介して筐体１００に接続される。
【０００５】
【特許文献１】特開平５−１２２１００公報。
【特許文献２】特開平１１−１２７０１０公報。
【発明の開示】
【発明が解決しようとする課題】
【０００６】
一般に、アンテナ素子１８による電波の送受信を安定化するためには、無線通信回路１７の接地導体を十分に広く設ける必要がある。しかしながら、図７のノート型パソコンにおいては、プリント基板１３の設計変更を伴って接地導体１５０の形状が変更された場合や、筐体１００の形状によって接地導体の１５０の形状が制限された場合には、十分な広さの接地導体１５０を確保できなかった。さらに、プリント基板１３上の無線通信回路１７以外の例えば画像処理回路１４の接地導体１５１からのノイズが、導線１６１、筐体１００、導線１６０及び接地導体１５０を介して無線通信回路１７に侵入し、アンテナ素子１８によって受信される受信信号の信号対雑音比が大きくなるという問題点があった。すなわち、プリント基板上に設けられる無線通信回路とその他の信号処理回路との間の電磁干渉や電磁結合によって、受信信号の信号対雑音比が大きくなるという問題点（以下、本発明が解決しようとする問題点という。）があった。
【０００７】
また、ＶＨＦ帯やＵＨＦ帯で用いるアンテナ素子に関しては、小型化できる点から、いわゆるホイップアンテナと呼ばれるλ／４のアンテナ素子が用いられ、これは、アンテナの接地導体をイメージの素子として動作させている。しかし、このことよりも、無線通信回路の接地導体にノイズが回り込まないようにする必要がある。
【０００８】
特許文献１においては、アンテナ素子と筐体が一体構造となった少スペースの中で、実装基板から放射されるノイズのアンテナ素子に対する影響を減少させるために、その図１においては、導線等からなる導体５を外付け用アンテナ素子地板としてプリント基板２上のアンテナ素子４取り付け部近傍の高さに位置するように設け、ケーブル６を介してプリント基板３のグランド部に接続したことを特徴としている。
【０００９】
また、特許文献２においては、機器の小型化及び軽量化を実現しうるアンテナ素子装置を実現するために、その図３においては、筐体ケース１１の外周面上にアンテナ素子導体板２３を設けると共に、アンテナ素子導体板２３に対する接地板及び回路基板２４に対するシールド部材として機能する接地導体板２５を筐体ケース内に設けたことを特徴としている。
【００１０】
これら特許文献１及び２においては、ノイズの影響を軽減する対策を開示しているが、上記本発明が解決しようとする問題点を解決することができない。
【００１１】
本発明の目的は以上の問題点を解決し、無線通信回路と信号処理回路を備えた電子機器において、従来技術に比較して高い信号対雑音比で受信信号を受信できる電子機器を提供することにある。
【課題を解決するための手段】
【００１２】
本発明に係る電子機器は、無線信号を受信する無線通信回路と、
上記受信された無線信号に対して所定の信号処理を行う信号処理回路と、
第１の導電体と、上記第１の導電体によりも内側に設けられた第２の導電体とを含み、上記無線通信回路と上記信号処理回路とを収納するための筐体とを備えた電子機器であって、
上記無線通信回路の接地導体は上記第１の導電体に接続され、
上記信号処理回路の接地導体は上記第２の導電体に接続されたことを特徴とする。
【００１３】
上記電子機器において、上記第１の導電体と上記第２の導電体との間に誘電体を挿入したことを特徴とする。
【００１４】
また、上記電子機器において、上記第１の導電体は第１の導体パターンを有し、
上記第２の導電体は第２の導体パターンを有し、
上記第１の導体パターンと上記第２の導体パターンとは厚さ方向と直交する方向で互い違いになるように形成されたことを特徴とする。
【００１５】
さらに、上記電子機器において、上記誘電体は磁性体材料にてなることを特徴とする。
【発明の効果】
【００１６】
従って、本発明によれば、第１の導電体と、上記第１の導電体によりも内側に設けられた第２の導電体とを含み、無線通信回路と信号処理回路とを収納するための筐体とを備えた電子機器であって、上記無線通信回路の接地導体は上記第１の導電体に接続され、上記信号処理回路の接地導体は上記第２の導電体に接続される。それ故、上記無線通信回路の接地導体と、上記信号処理回路の接地導体とを分離することができ、上記信号処理回路は上記第２の導電体により電磁的にシールドされるので、ノイズの回り込みが発生せず、従来技術に比較して高い信号対雑音比で受信信号を受信できる。
【発明を実施するための最良の形態】
【００１７】
以下、本発明に係る実施形態について図面を参照して説明する。なお、以下の各実施形態において、同様の構成要素については同一の符号を付している。
【００１８】
実施形態．
図１は、本発明の一実施形態に係る携帯型ＤＶＤプレーヤの一部破断概略斜視図である。図１において、実施形態に係る携帯型ＤＶＤプレーヤは、筐体１０と、その蓋の機能を有する筐体１１とを備えて構成される折り畳み型の電子機器である。筐体１１に一体的に形成されたヒンジ円筒部１２ｂは、筐体１０に一体的に形成されたヒンジ円筒部１２ａ，１２ｃ（以下、ヒンジ円筒部１２ａ，１２ｂ，１２ｃを併せてヒンジ部１２という。）に挟持されて回動可能に軸支される。この構成により実施形態に係る携帯型ＤＶＤプレーヤは、筐体１０に対して筐体１１を開いた使用時の状態である展開状態と、筐体１０に対して筐体１１を対向させて閉じた非使用時の状態である折り畳み状態とを有する。
【００１９】
筐体１０は、プリント基板１３と信号ケーブル１６とを収容し、スピーカ４１をその上側の表面に備えて構成される。ここで、プリント基板１３は、無線通信回路であるフロントエンド部３２と、信号処理回路であるバックエンド部３３と、画像処理回路１４と、フロントエンド部３２に接続され筐体１０の外部に突出するアンテナ素子１８とを備えて構成される。アンテナ素子１８は、地上波デジタルテレビジョン放送の放送信号を受信するホイップアンテナ装置である。
【００２０】
また、筐体１１は折り畳み状態で内側になる面に液晶ディスプレイ１４を備えて構成される。さらに、筐体１０内の画像処理回路１４と筐体１１上の液晶ディスプレイ１５とは、ヒンジ部１２に収容される信号ケーブル１６を用いて接続される。
【００２１】
図２は、図１の携帯型ＤＶＤプレーヤの筐体１０の右端部の右側面から見た縦断面図である。図２において、筐体１０は、導電体２０と、導電体２０の外側に設けられる誘電体２２と、誘電体２２の外側に設けられる導電体２１とを積層した構成を有する。ここで、導電体２０，２１は、例えばマグネシウム合金、銅、アルミニウム、又はこれを含有する導電性の樹脂等の導電材料によって例えば厚さ０．５ｍｍを有するように形成される。また、誘電体２２は、例えばフェライト等の磁性体材料によって例えば厚さ０．５ｍｍを有するように形成される。また、例えばＰＥＴ又はポリカーボネート等の誘電体材料にてなるプリント基板１３は、誘電体２２に支持部材７０ａ，７０ｂによって固定される。ここで、プリント基板１３は導体２２の表面との間に所定の空間を隔てて誘電体２２に固定される。
【００２２】
フロントエンド部３２は、プリント基板１３の表面に形成されるパターン導体（図示せず。）と、プリント基板１３の裏面に形成される接地導体５０とにより構成される。さらに、接地導体５０は導線６０を介して導電体２１に接続される。ここで、導線６０は、導電体２１及び誘電体２２を貫通するように形成される貫通孔７１を、上記導電体２１とは電気的に絶縁された状態で通過させて配線される。
【００２３】
また、バックエンド部３３は、プリント基板１３の表面に形成されるパターン導体（図示せず。）と、プリント基板１３の裏面に形成される接地導体５１とにより構成される。ここで、接地導体５１は導線６１を介して導電体２０に接続される。
【００２４】
以上の構成により、接地導体５０と，導線６０と，導電体２１とはフロントエンド部３２及びアンテナ素子１８の接地導体となり、接地導体５１と，導線６１と，導電体２０とはバックエンド部３２の接地導体となる。
【００２５】
図３は、図１の携帯型ＤＶＤプレーヤの電気回路の構成を示すブロック図である。図３において地上波デジタルテレビジョン受信回路３１は、無線通信回路であるフロントエンド部３２と、バックエンド部３３とを備えて構成される。
【００２６】
フロントエンド部３２は、アンテナ素子１８により受信される地上波デジタルテレビジョン放送の放送波３０から無線信号を発生し、無線信号から所定の放送番組の信号成分に対応する信号を選択するチューナ３４と、チューナ３４からの信号を復調してＭＰＥＧ（Moving Picture Experts Group）−ＴＳ（Transport Stream）パケット信号を発生するＯＦＤＭ（Orthogonal Frequency Division Multiplexing）復調器３５とを備えて構成される。ここで、ＭＰＥＧ−ＴＳパケット信号は、選択された放送番組の映像データ、音声データ及び字幕データ等のデータを含む。
【００２７】
バックエンド部３３は、ＯＦＤＭ復調器３５が発生したＭＰＥＧ−ＴＳパケット信号をＭＰＥＧ−ＴＳパケット信号のパケットヘッダに基づいて音声のパケット信号、映像のパケット信号及び字幕のパケット信号に振り分けるパケットフィルタ３６と、音声デコーダ３８、映像デコーダ３９及び字幕デコーダ４０を備えるデコーダ回路３７とを備えて構成される。ここで、音声デコーダ３８は、音声のパケット信号をデコードして音声信号を生成してスピーカ４１に出力する。また、字幕デコーダ４０は、字幕のパケット信号をデコードして字幕信号を生成し映像デコーダ３９に出力する。さらに、映像デコーダ３９は、映像のパケット信号をデコードして映像信号を生成し字幕デコーダ４０からの字幕信号と合成して、画像処理回路１４及び信号ケーブル１６を介して液晶ディスプレイ１５に出力し、表示させる。
【００２８】
以上説明したように、本発明に係る実施形態では、フロントエンド部３２及びアンテナ素子１８の接地導体となる導電体２１とバックエンド部３３の接地導体となる導電体２０とを分離して設けたので、バックエンド部３３からのノイズがフロントエンド部３２に侵入せず、従来技術に比較して、アンテナ素子１８によって受信される受信信号の信号対雑音比を小さくすることができる。また、導体２１はバックエンド部３３に対するシールドとなるので、筐体１０の外部からバックエンド部３３にノイズが侵入しない。さらに、本発明に係る実施形態では、導電体２１がフロントエンド部３２の接地導体となるので、プリント基板１３の仕様や筐体１０の形状に拘わらず、常に十分な広さのフロントエンド部３２及びアンテナ素子１８の接地導体を設けることができ、アンテナ素子１８による電波の送受信を安定化できる。これらの効果を以下、実施形態の効果という。
【００２９】
第１の変形例．
図４（ａ）は、本発明の第１の変形例に係る携帯型ＤＶＤプレーヤの導電体２０の平面図であり、図４（ｂ）は、本発明の第１の変形例に係る携帯型ＤＶＤプレーヤの導電体２１の平面図である。第１の変形例は実施形態に比較して、導電体２０，２１を導電体２０Ａ，２１Ａに置き換えたことを特徴とする。以下、実施形態との相違点について詳述する。
【００３０】
図４（ａ）及び図４（ｂ）において、例えばマグネシウム合金等の導電材料にてなる導電体２０Ａ，２１Ａは、一辺の長さＬ１Ａを有する複数の正方形を互いに頂点で接するように配置し、隣接する正方形の頂点を連結した網目状の導体パターンを有する。ここで、導電体２０Ａは誘電体２２の一方の面に形成され、導電体２１Ａは誘電体２２の他方の面に形成される。ここで、導電体２０Ａ，２１Ａの各導体パターンは、導電体２０Ａ，２１Ａの各正方形が実質的に対向しないように厚さ方向とは直交する方向に互い違いになるように形成される。以上のように構成することにより、導電体２０Ａと、導電体２１Ａとの間の電磁結合の結合度を、実施形態の場合に比較して軽減できる。これにより、上述の実施形態の効果を大幅に向上できる。
【００３１】
第２の変形例．
図５（ａ）は、本発明の第２の変形例に係る携帯型ＤＶＤプレーヤの導電体２０Ｂの平面図であり、図５（ｂ）は、本発明の第２の変形例に係る携帯型ＤＶＤプレーヤの導電体２１Ｂの平面図である。第２の変形例は実施形態に比較して、導電体２０，２１を導電体２０Ｂ，２１Ｂに置き換えたことを特徴とする。以下、実施形態との相違点について詳述する。
【００３２】
図５（ａ）及び図５（ｂ）において、例えばマグネシウム合金等の導電材料にてなる導電体２０Ｂ，２１Ｂは、一辺の長さＬ１Ｂを有する複数の正三角形を互いに頂点で接するように配置し、隣接する正三角形の頂点を接続した網目状の導体パターンを有する。ここで、導電体２０Ｂは誘電体２２の一方の面に形成され、導電体２１Ｂは誘電体２２の他方の面に形成される。ここで、導電体２０Ｂ，２１Ｂの各導体パターンは、導電体２０Ｂ，２１Ｂの各正三角形が実質的に対向しないように厚さ方向とは直交する方向に互い違いになるように形成される。以上のように構成することにより、導電体２０Ｂと、導電体２１Ｂとの間の電磁結合の結合度を、実施形態の場合に比較して軽減できる。これにより、上述の実施形態の効果を大幅に向上できる。
【００３３】
第３の変形例．
図６（ａ）は、本発明の第３の変形例に係る携帯型ＤＶＤプレーヤの導電体２０Ｃの平面図であり、図６（ｂ）は、本発明の第３の変形例に係る携帯型ＤＶＤプレーヤの導電体２１Ｃの平面図である。第３の変形例は実施形態に比較して、導電体２０，２１を導電体２０Ｃ，２１Ｃに置き換えたことを特徴とする。以下、実施形態との相違点について詳述する。
【００３４】
図６（ａ）において、例えばマグネシウム合金、銅、アルミニウム、又はこれを含有する導電性の樹脂等の導電材料にてなる導電体２０Ｃは、一辺の長さがＬ２である複数の正方形の非形成部（導体パターンの非形成部をいう。以下同様である。）７２を長さＬ３間隔で配置した導体パターンを有する。また、図６（ｂ）において、例えばマグネシウム合金等の導電材料にてなる導電体２１Ｃは、一辺の長さがＬ３である複数の正方形の非形成部７３を長さＬ２間隔で配置した導体パターンを有する。ここで、導電体２０Ｃは誘電体２２の一方の面に形成され、導電体２１Ｃは誘電体２２の他方の面に形成される。ここで、導電体２０Ｃ，２１Ｃの各導体パターンは、導電体２０Ｃ，２１Ｃの正方形の非形成部７２，７３が厚さ方向と直交な方向に互い違いになるように設けられる。以上のように構成することにより、導電体２０Ｂと、導電体２１Ｂとの間の電磁結合の結合度を、実施形態の場合に比較して軽減できる。これにより、上述の実施形態の効果を大幅に向上できる。
【００３５】
なお、本発明に係る実施形態及び変形例においては、携帯型ＤＶＤプレーヤについて説明しているが、本発明はこれに限らず、テレビジョン放送を受信することが可能な他の電子機器、無線信号を送受信する無線通信装置又は携帯電話機であってもよい。
【００３６】
また、本発明に係る実施形態及び変形例においては、液晶ディスプレイ１５を使用しているが、本発明はこれに限らず、テレビジョン放送受信装置を実現することが可能な他の表示手段を使用してもよい。
【００３７】
さらに、本発明に係る実施形態及び変形例においては、信号ケーブル１６によりデジタルの信号を伝送したが、本発明はこれに限らず、アナログの信号であってもよい。
【００３８】
またさらに、本発明に係る実施形態及び変形例においては、ホイップアンテナであるアンテナ素子１８を使用しているが、その他のアンテナ装置を使用してもよい。
【００３９】
また、本発明に係る実施形態及び変形例においては、地上波デジタルテレビジョン放送の放送信号を受信する携帯型ＤＶＤプレーヤを説明したが、本発明はこれに限らず、無線ＬＡＮ等の他の無線通信機能を有する電子機器であってもよい。
【００４０】
さらに、導電体２０Ａ，２０Ｂ，２０Ｃ，２１Ａ，２１Ｂ，２１Ｃは、本発明に係る実施形態の変形例で示した構成に限らず、誘電体２２を間に挟んで設けられる２枚の導電パターンが厚さ方向とは直交する方向に互い違いになるように設けられればよい。
【産業上の利用可能性】
【００４１】
以上詳述したように、本発明によれば、第１の導電体と、上記第１の導電体によりも内側に設けられた第２の導電体とを含み、無線通信回路と信号処理回路とを収納するための筐体とを備えた電子機器であって、上記無線通信回路の接地導体は上記第１の導電体に接続され、上記信号処理回路の接地導体は上記第２の導電体に接続される。それ故、上記無線通信回路の接地導体と、上記信号処理回路の接地導体とを分離することができ、上記信号処理回路は上記第２の導電体により電磁的にシールドされるので、ノイズの回り込みが発生せず、従来技術に比較して高い信号対雑音比で受信信号を受信できる。
【図面の簡単な説明】
【００４２】
【図１】本発明の一実施形態に係る携帯型ＤＶＤプレーヤの一部破断概略斜視図である。
【図２】図１の携帯型ＤＶＤプレーヤの筐体１０の右端部の右側面から見た縦断面図である。
【図３】図１の携帯型ＤＶＤプレーヤの電気回路の構成を示すブロック図である。
【図４】図４（ａ）は、本発明の第１の変形例に係る携帯型ＤＶＤプレーヤの導電体２０Ａの平面図であり、図４（ｂ）は、本発明の第１の変形例に係る携帯型ＤＶＤプレーヤの導電体２１Ａの平面図である。
【図５】図５（ａ）は、本発明の第２の変形例に係る携帯型ＤＶＤプレーヤの導電体２０Ｂの平面図であり、図５（ｂ）は、本発明の第２の変形例に係る携帯型ＤＶＤプレーヤの導電体２１Ｂの平面図である。
【図６】図６（ａ）は、本発明の第３の変形例に係る携帯型ＤＶＤプレーヤの導電体２０Ｃの平面図であり、図６（ｂ）は、本発明の第３の変形例に係る携帯型ＤＶＤプレーヤの導電体２１Ｃの平面図である。
【図７】従来技術に係るノート型パソコンの一部破断概略斜視図である。
【図８】図７のノート型パソコンの筐体１００の右端部の右側面から見た縦断面図である。
【符号の説明】
【００４３】
１０，１１…筐体、
１２…ヒンジ部、
１２ａ，１２ｂ，１２ｃ…ヒンジ円筒部、
１３…プリント基板、
１４…画像処理回路、
１５…液晶ディスプレイ、
１６…信号ケーブル、
１８…アンテナ素子、
２０，２０Ａ，２０Ｂ，２１，２１Ａ，２１Ｂ…導電体
２２…誘電体、
３１…地上波デジタルテレビジョン受信回路、
３２…フロントエンド部、
３３…バックエンド部、
３４…チューナ、
３５…ＯＦＤＭ復調器、
３６…パケットフィルタ、
３７…デコーダ回路、
３８…音声デコーダ、
３９…映像デコーダ、
４０…字幕デコーダ、
４１…スピーカ、
５０，５１…接地導体、
６０，６１…導線、
７０ａ，７０ｂ…支持部材、
７１…貫通孔、
７２，７３…非形成部。
【図１】
2007180661.tif 000003
【図２】
2007180661.tif 000004
【図３】
2007180661.tif 000005
【図４】
2007180661.tif 000006
【図５】
2007180661.tif 000007
【図６】
2007180661.tif 000008
【図７】
2007180661.tif 000009
【図８】
2007180661.tif 000010